(57)【要約】【課題】送風機器から送風する空気に含まれる帯電粒子の減少量を抑えつつ、帯電粒子を検出する。【解決手段】送風機器１は、空気の吸込口２１、通流路２３及び吹出口２２を有する筐体２と、空気を通流路２３に通流させるファン３と、前記通流路２３内に帯電粒子を発生させるための正放電電極４２及び負放電電極４１を有する帯電粒子発生部４と、帯電粒子を検出するための検出電極５１を有する帯電粒子センサ５とを備え、帯電粒子発生部４が発生させた帯電粒子を含む空気を吹出口２２から吹き出すようにしてある。帯電粒子発生部４及び帯電粒子センサ５は、帯電粒子センサ５の検出電極５１と、帯電粒子発生部４の正放電電極４２及び負放電電極４１とが対向しないように、空気の通流方向に対して交差する方向に並置されている。【選択図】図３
2014082125.tif 000002
【特許請求の範囲】
【請求項１】
空気の吸込口、通流路及び吹出口を有する筐体と、空気を前記通流路に通流させるファンと、前記通流路内に帯電粒子を発生させるための電極を有する帯電粒子発生部と、帯電粒子を検出するための電極を有する帯電粒子センサとを備え、該帯電粒子発生部が発生させた帯電粒子を含む空気を前記吹出口から吹き出すようにしてある送風機器において、
前記帯電粒子発生部及び前記帯電粒子センサは、
前記帯電粒子センサの電極と、前記帯電粒子発生部の電極とが対向しないように、空気の通流方向に対して交差する方向に並置されている
ことを特徴とする送風機器。
【請求項２】
前記帯電粒子発生部及び前記帯電粒子センサは離隔している
ことを特徴とする請求項１に記載の送風機器。
【請求項３】
前記帯電粒子センサは、
前記帯電粒子発生部の電極から拡散した帯電粒子が所定濃度以上の領域内に配されている
ことを特徴とする請求項１又は請求項２に記載の送風機器。
【請求項４】
前記筐体は、
前記通流路を構成する平板部分を備え、
前記帯電粒子発生部及び前記帯電粒子センサは前記平板部に並置されている
ことを特徴とする請求項１から請求項３までのいずれか一つに記載の送風機器。
【請求項５】
前記筐体は、
前記通流路を構成する第１平板部と、
該第１平板部に交差する第２平板部と
を備え、
前記帯電粒子発生部は前記第１平板部に配され、
前記帯電粒子センサは前記第２平板部に配されている
ことを特徴とする請求項１から請求項３までのいずれか一つに記載の送風機器。
【発明の詳細な説明】
【技術分野】
【０００１】
本発明は、帯電粒子を含む空気を吹出口から吹き出すようにしてある送風機器に関する。
【背景技術】
【０００２】
大気中におけるコロナ放電によって空気中に正イオンであるＨ+ （Ｈ2 Ｏ）ｍ（ｍは任意の自然数）と、負イオンであるＯ2- （Ｈ2 Ｏ）ｎ（ｎは任意の自然数）とを同等量発生させて放出することにより、両イオンが空気中の浮遊カビ菌やウィルスの周りを取り囲んで付着し、その際に反応生成される活性種の水酸基ラジカル（・ＯＨ）の作用により、前記浮遊カビ菌等を不活化することが可能なイオン発生装置が開示されている（例えば、特許文献１、特許文献２、特許文献３）。
イオン発生装置においては、イオンの発生の有無を検出し、イオンが発生していない時には、保守等が必要であることを使用者に知らせることが必要である。この方法として、イオン検出器を用いてイオンの発生の有無を検出するイオン発生装置が開示されている（例えば、特許文献４、特許文献５、特許文献６）。
【先行技術文献】
【特許文献】
【０００３】
【特許文献１】特開２００３−４７６５１号公報
【特許文献２】特開２００２−３１９４７２号公報
【特許文献３】特開２０１０−０５５９６０号公報
【特許文献４】特開２００７−１１４１７７号公報
【特許文献５】特開２０１０−２８７３２１号公報
【特許文献６】特開２０１１−１１１６２２号公報
【発明の概要】
【発明が解決しようとする課題】
【０００４】
しかしながら、イオン検出器は、イオン発生装置で発生したイオンを捕捉して、空気中のイオンを検出する構成であるため、イオン発生装置から吹き出されるイオンの量が減少してしまうという問題があった。
【０００５】
本発明は斯かる事情に鑑みてなされたものであり、その目的は、送風機器から送風する空気に含まれるイオン等の帯電粒子の減少量を抑えつつ、帯電粒子を検出することができる送風機器を提供することにある。
【課題を解決するための手段】
【０００６】
本発明に係る送風機器は、空気の吸込口、通流路及び吹出口を有する筐体と、空気を前記通流路に通流させるファンと、前記通流路内に帯電粒子を発生させるための電極を有する帯電粒子発生部と、帯電粒子を検出するための電極を有する帯電粒子センサとを備え、該帯電粒子発生部が発生させた帯電粒子を含む空気を前記吹出口から吹き出すようにしてある送風機器において、前記帯電粒子発生部及び前記帯電粒子センサは、前記帯電粒子センサの電極と、前記帯電粒子発生部の電極とが対向しないように、空気の通流方向に対して交差する方向に並置されていることを特徴とする。
【０００７】
本発明に係る送風機器は、前記帯電粒子発生部及び前記帯電粒子センサは離隔していることを特徴とする。
【０００８】
本発明に係る送風機器は、前記帯電粒子センサは、前記帯電粒子発生部の電極から拡散した帯電粒子が所定濃度以上の領域内に配されていることを特徴とする。
【０００９】
本発明に係る送風機器は、前記筐体は、前記通流路を構成する平板部分を備え、前記帯電粒子発生部及び前記帯電粒子センサは前記平板部に並置されていることを特徴とする。
【００１０】
本発明に係る送風機器は、前記筐体は、前記通流路を構成する第１平板部と、該第１平板部に交差する第２平板部とを備え、前記帯電粒子発生部は前記第１平板部に配され、前記帯電粒子センサは前記第２平板部に配されていることを特徴とする。
【発明の効果】
【００１１】
本発明にあっては、送風機器から送風する空気に含まれる帯電粒子の減少量を抑えつつ、帯電粒子を検出することができる。
【図面の簡単な説明】
【００１２】
【図１】本実施の形態に係る送風機器の一構成例を示す斜視図である。
【図２】送風機器の一構成例を示す側断面図である。
【図３】送風機器の内部構成を示した底面図である。
【図４】帯電粒子発生部の一構成例を示す斜視図である。
【図５】送風機器の回路構成を示すブロック図である。
【図６】送風機器の第１設置例を示す斜視図である。
【図７】第１設置例において送風方向を斜め下方にした送風機器を示す側断面図である。
【図８】送風機器の第２設置例を示す斜視図である。
【図９】第２設置例において送風方向を斜め下方にした送風機器を示す側断面図である。
【図１０】変形例に係る送風機器の一構成例を示す側断面図である。
【図１１】変形例に係る送風機器の内部構成を示した底面図である。
【発明を実施するための形態】
【００１３】
以下、本発明をその実施の形態を示す図面に基づいて詳述する。
図１は本実施の形態に係る送風機器１の一構成例を示す斜視図、図２は送風機器の一構成例を示す側断面図、図３は送風機器の内部構成を示した底面図である。本実施の形態に係る送風機器１は全体形状が横長扁平略直方体状であり、正帯電粒子及び負帯電粒子を含む空気を送風し、浮遊カビ菌及びウィルスに付着した際に生成される活性種の水酸基ラジカルの作用により、前記前記浮遊カビ菌等を不活化することが可能な空気清浄機器である。送風機器１は横長扁平略直方体状の筐体２を備える。筐体２は、縦横幅広の面に吸込口２１を有し、該面に交差する長尺の面に吹出口２２を有する。
以下、説明の便宜上、方向を以下のように定める。即ち、吸込口２１を上向きにして図示しない台に送風機器１を設置した状態で、設置面側を下方、吸込口２１側を上方、空気の吹き出し方向を前方、その反対側を後方、送風機器１の吹出口２２に向かって左側及び右側を左方向及び右方向と定める。また、左右方向を横方向と言う。なお、このように定めた方向は説明の便宜上のものであり、本実施の形態に係る送風機器１の設置姿勢を限定するものでは無い。例えば、吹出口２２を下方又は上方向に向けて送風機器１を設置しても良い。
【００１４】
筐体２は、送風機器１の下半分及び上半分をそれぞれ構成する下半体２４及び上半体２５を備える。下半体２４は、横長略矩形状の底板部２４ａを有する。底板部２４ａの横方向両側及び後側の周縁部には第１周壁２４ｂが略垂直に設けられている。同様にして、上半体２５は、底板部２４ａと略同寸法の天板部２５ａを有する。天板部２５ａの横方向両側及び後側の周縁部には、第１周壁２４ｂに嵌合するように第２周壁２５ｂが略垂直に設けられている。また、天板部２５ａには横方向両側に亘って吸込口２１が形成されている。吸込口２１は、例えば天板部２５ａの横方向両側に亘って前後左右に並ぶ複数のスリットで構成される。上下に嵌合した上半体２５及び下半体２４の前側には正面パネル２６が取り付けられている。正面パネル２６には横方向両側に亘る横長の吹出口２２が形成されている。また正面パネル２６の横方向一端側部分には、送風機器１を操作するための操作部７及び表示部８等が設けられている。
【００１５】
更に、筐体２は、吸込口２１から吸い込まれた空気が吹出口２２へ通流する通流路２３を備える。通流路２３は、前部が吹出口２２に連続的に繋がった扁平なラッパ型の筒状をなし、通流路２３の後部は吸込口２１から吸い込まれた空気が流入するように、上方に開口している。通流路２３は、筒状部分の下部を構成する流路底板２３ａと、側部を構成する流路側壁部２３ｂと、上部を構成する流路上板２３ｃとを有する。流路底板２３ａは、後部が上方に湾曲した側断面円弧状をなし、中間部分から前部にかけて上り傾斜している。流路底板２３ａの前部は流路上板２３ｃに比べて緩やかに下方へ傾斜し、先端部は湾曲している。流路上板２３ｃは、流路底板２３ａの中間部分の傾斜部分に対して略平行的に上がり傾斜した板部を有し、前部は流路底板２３ａの前部に比べて急角度で上がり傾斜している。
なお言うまでもなく、流通路は必ずしも一つの部材として成形される必要は無く、本実施の形態のように複数の部品で流通路を構成しても良い。
【００１６】
通流路２３の後部の開口には、空気を通流路２３に通流させるファン３が設けられている。ファン３は例えば、クロスフローファン３１を備える。クロスフローファン３１は羽根が周設された円筒状をなし、流通路の前記開口部に収納されている。クロスフローファン３１の一端部には、該クロスフローファン３１を回転させるファンモータ３２が接続されている。ファンモータ３２の駆動力によってクロスフローファン３１が回転すると、吸込口２１から空気が吸い込まれ、吸い込まれた空気は通流路２３の内部を通じて吹出口２２から吹き出される。
【００１７】
また、流路上板２３ｃの横方向略中央部には帯電粒子発生部４が設けられている。
図４は、帯電粒子発生部４の一構成例を示す斜視図である。帯電粒子発生部４は、制御部９（図５参照）に接続するための接続端を有する。帯電粒子発生部４の接続端は、接続端に入力される直流電圧を交流電圧に変換する直流交流変換回路に接続されている。直流交流変換回路の出力端には高圧トランスの一次コイルが接続され、交流電圧が一次コイルに印加されるように構成されている。高圧トランスの二次コイルの一端には整流ダイオードが順接続され、該整流ダイオードのカソードに正放電電極４２が接続されている。高圧トランスの二次コイルの他端には整流ダイオードが逆接続され、該整流ダイオードのアノードに負放電電極４１が接続されている。帯電粒子発生部４を構成する各種電子部品は矩形板状の樹脂製収納部に収納されている。帯電粒子発生部４は、帯電粒子を発生させるための正放電電極４２及び負放電電極４１が横方向に離隔し、樹脂製収納部から通流路２３側つまり下方へ突出するような姿勢で流路上板２３ｃに取り付けられている。また帯電粒子発生部４は、回路基板に接続することで接地される接地板を有する。接地板は適宜長離隔して形成された孔を有し、各孔の中心に正放電電極４２及び負放電電極４１の先端が位置するように、接地板並びに正放電電極４２及び負放電電極４１が位置決め固定されている。
【００１８】
また、流路上板２３ｃの横方向端部、即ち帯電粒子発生部４の横側には、帯電粒子を検出する帯電粒子センサ５が設けられている。帯電粒子センサ５は、帯電粒子発生部４で発生し、拡散した帯電粒子を捕捉する検出電極５１を有する。検出電極５１は例えばシート状の銅板であり、通流路２３側、つまり下方に露出している。また、帯電粒子センサ５は、検出電極５１によって捕捉した帯電粒子の量に応じた電圧を出力する帯電粒子検出回路５２（図５参照）を備える。帯電粒子センサ５は、機能的には正の帯電粒子と、負の帯電粒子の両方を検出することができる。本実施の形態では、例えば帯電粒子センサ５を帯電粒子発生部４の正放電電極４２に近い箇所に配置されており、正帯電粒子を検出する。帯電粒子センサ５は、帯電粒子発生部４から拡散した帯電粒子の濃度が所定濃度以上になる領域内に配されている。所定濃度は、例えば帯電粒子センサ５が検出可能な帯電粒子の下限濃度、又は該下限濃度より数十％高い帯電粒子濃度である。なお、逆に、帯電粒子センサ５を帯電粒子発生部４の負放電電極４１に近い箇所に配置した場合、負帯電粒子を検出することになる。
このように設けられた帯電粒子発生部４及び帯電粒子センサ５は、正放電電極４２及び負放電電極４１と、検出電極５１とが対向せず、空気の通流方向に対して交差する方向に並置されていることになる。
【００１９】
図５は、送風機器１の回路構成を示すブロック図である。送風機器１は、マイコン等からなる制御部９を備え、制御部９には操作部７、表示部８、帯電粒子発生部４、帯電粒子センサ５、ファンモータ３２が接続されている。制御部９は、操作部７から入力される信号に従って、ファンモータ３２及び帯電粒子発生部４にそれぞれ制御信号を送り、該ファンモータ３２及び帯電粒子発生部４を運転させ、又は停止させる。制御部９は、運転状態に応じた点灯制御信号を表示部８へ送ることによって、表示部８を点灯させ又は消灯させる。ユーザは表示部８の点灯状態を確認することによって送風機器の動作状態を確認することができる。
また、制御部９は帯電粒子センサ５から出力される信号によって、帯電粒子の有無を判定する。帯電粒子が検出されていないと判定した場合、制御部９は表示部８に点灯制御信号を送信し、表示部８に帯電粒子が発生していない旨の警告表示を行う。
【００２０】
送風機器１の吹出口２２には、吹き出される空気の送風方向を変更する風向変更板６が設けられている。風向変更板６は図１及び図２に示すように吹出口２２の横方向両側に亘る横長の板状部材であり、横方向両側からその長手方向外側へ突出した回転軸６１によって回転可能に筐体２に保持されている。回転軸６１は、風向変更板６の短辺部分の中心から前方へ偏移した箇所に設けられている。また、風向変更板６の後端部分は下方へ屈曲している。また、回転軸６１は、風向変更板６の後端部が通流路２３の上部及び下部に当接した場合に、風向変更板６が前後方向に対して所定の角度をなすような上下位置に設けられている。例えば、風向変更板６の後端部が通流路２３の上部に当接した場合、風向変更板６は前後方向に対して約３０°下り傾斜している。風向変更板６の後端部が通流路２３の下部に当接した場合、風向変更板６は前後方向に対して約４０°上がり傾斜している。
【００２１】
図６は送風機器１の第１設置例を示す斜視図、図７は第１設置例において送風方向を斜め下方にした送風機器１を示す側断面図である。矢印は空気の吸い込み方向及び吹き出し方向を示している。第１設置例では、図６に示すようにクローゼット、病院の床頭台、遊技台等の載置台Ａ上に、吸込口２１を上に向けて送風機器１が載置されている。この場合、図７に示すように、風向変更板６を時計回りに回転させ、風向変更板６の後端部を通流路２３の上部に当接させる。このように送風方向を調整することによって、送風方向が水平面に対して斜め下方３０°を向くため、部屋Ｒの空間全体に効率よく帯電粒子を放出し、拡散させることができる。また、風向変更板６の後端部が通流路２３に当接しているため、通流路２３を通流した空気の大部分を斜め下方３０°の角度で吹き出すことができる。
【００２２】
図８は送風機器１の第２設置例を示す斜視図、図９は第２設置例において送風方向を斜め下方にした送風機器１を示す側断面図である。矢印は空気の吸い込み方向及び吹き出し方向を示している。第２設置例では、図８に示すように、吸込口２１が横方向を向くような姿勢で部屋Ｒの壁に取り付けられている。この場合、図９に示すように、風向変更板６を反時計回りに回転させ、後端部を通流路２３の底部、つまり部屋Ｒの壁側に当接させる。このように送風方向を調整することによって、送風方向が鉛直面に対して斜め下方約４０°を向くため、部屋Ｒの空間全体に効率よく帯電粒子を放出し、拡散させることができる。このとき、風向変更板６の傾きを斜め下方３０°にすると、吹出口２２からの風はコアンダ効果で部屋Ｒの壁に沿ってしまい、空間全体に効率よくイオンを放出することができない。
また、風向変更板６の後端部が通流路２３に当接しているため、通流路２３を通流した空気の大部分を斜め下方４０°の角度で吹き出すことができる。
【００２３】
このように構成された送風機器１によれば、送風機器１から送風する空気に含まれる帯電粒子の減少量を抑えつつ、帯電粒子を検出することができる。以下、帯電粒子の減少量を抑え、かつ帯電粒子を検出する原理及びその他の効果をより詳細に説明する。
帯電粒子発生部４の正放電電極４２及び負放電電極４１で発生する帯電粒子は、例えば正イオン及び負イオンである。化学式を用いれば、正イオンはＨ+ （Ｈ2 Ｏ）ｍ（ｍは任意の自然数）、負イオンはＯ2- （Ｈ2 Ｏ）ｎ（ｎは任意の自然数）と表される。正イオン及び負イオンは吹出口２２から空気中に送出され、空気中の浮遊細菌、ウィルス等に付着する。正イオン及び負イオンが付着した際に水酸基ラジカルが発生し、水酸基ラジカルの活性によって、浮遊細菌、ウィルス等を殺菌し、又は不活化させる。
帯電粒子センサ５は、帯電粒子発生部４で発生し、該帯電粒子センサ５の検出領域まで拡散した帯電粒子、例えば正イオンを検出する。帯電粒子センサ５は帯電粒子発生部４の下流側に位置していないため、ファン３による送風によって帯電粒子発生部４から帯電粒子センサ５へ移送された帯電粒子は検出電極５１に捕捉されない。また、正放電電極４２及び負放電電極４１と、検出電極５１とは対向していないため、帯電粒子発生部４で発生した帯電粒子が直ちに検出電極５１に達して捕捉されることも無い。従って、多量の帯電粒子が検出電極５１に捕捉されることは無い。
このため、上述のように検出電極５１によって捕捉される帯電粒子の量を減少させることができ、しかも帯電粒子センサ５は帯電粒子発生部４から拡散した帯電粒子を捕捉することによって帯電粒子の検出することができる。
また、ファン３を停止させて送風機器を動作させた場合であっても、帯電粒子センサ５は帯電粒子を検出することができる。
【００２４】
更に、帯電粒子発生部４と、帯電粒子センサ５とを横方向に離隔配置することにより、帯電粒子センサ５の検出電極５１に捕捉されることによる帯電粒子の減少量を抑えることが可能である。
【００２５】
更にまた、このように構成された送風機器１によれば、通流路２３は風向変更板６の回転軸６１を含む面に関して非対称形、例えば上下非対称形であり、風向変更板６を回転させることによって、送風方向を変更することができる。
吹出口２２を水平方向に向けて送風機器１を設置した場合（以下、水平設置という）、風向変更板６の後端を通流路２３の上部に当接させ、吹出口２２を鉛直下方に向けて送風機器１を設置した場合（以下鉛直設置という）、風向変更板６の後端を通流路２３の底部に当接させることにより、水平設置状態と、鉛直設置状態とで空気の通流面積とが異ならせることができ、空間全体に効率よくイオンを放出することができる。
水平設置では水平面に対して斜め下方約３０°の角度で送風し、鉛直設置では水平面に対して斜め下方４０°の角度で送風することができる。
【００２６】
なお、本実施の形態では正帯電粒子、例えば正イオンを検出する例を説明したが、負帯電粒子、例えば負イオンを検出するように構成しても良い。また、イオン以外の帯電粒子、例えば帯電した水分子等を検出することにより、帯電粒子検出部で発生した帯電粒子を検出しても良い。
【００２７】
また、送風機器の一例として空気清浄機器を例にして説明したが、本発明の適用範囲は空気清浄機器に限定されず、加湿器、ヘアドライヤー等、送風が必要なその他の電気機器に適用することが可能である。
【００２８】
（変形例）
図１０は変形例に係る送風機器１０１の一構成例を示す側断面図、図１１は変形例に係る送風機器１０１の内部構成を示した底面図である。変形例に係る送風機器１は帯電粒子センサ１０５と、帯電粒子発生部４との位置関係、特に帯電粒子センサ１０５の取り付け位置のみが異なるため、以下では主に上記相違点を説明する。変形例に係る帯電粒子センサ１０５は流路側壁部２３ｂに設けられ、帯電粒子発生部４は流路側壁部２３ｂに交差した流路上板２３ｃに設けられている。帯電粒子発生部４の正放電電極４２及び負放電電極４１の取り付け面と、検出電極１５１とは交差しているが、対向していない。
【００２９】
変形例に係る送風機器１０１によれば、帯電粒子センサ１０５は、流路上板２３ｃから流路側壁部２３ｂ側へ拡散した帯電粒子を検出するように構成されているため、送風機器１０１から送風する空気に含まれる帯電粒子の減少量を抑えつつ、帯電粒子を検出することができる。
その他の作用効果は実施の形態と同様である。
【００３０】
以下、本発明に関する説明を補足的に追記する。
（付記１）
空気の吸込口（２１）、通流路（２３）及び吹出口（２２）を有する筐体（２）と、空気を前記通流路（２３）に通流させるファン（３）と、前記通流路（２３）内に帯電粒子を発生させるための電極を有する帯電粒子発生部（４）と、帯電粒子を検出するための電極を有する帯電粒子センサ（５）とを備え、該帯電粒子発生部（４）が発生させた帯電粒子を含む空気を前記吹出口（２２）から吹き出すようにしてある送風機器（１）において、
前記帯電粒子発生部（４）及び前記帯電粒子センサ（５）は、
前記帯電粒子センサ（５）の電極と、前記帯電粒子発生部（４）の電極とが対向しないように、空気の通流方向に対して交差する方向に並置されている
ことを特徴とする送風機器（１）。
【００３１】
本発明にあっては、帯電粒子を発生させるための電極と、帯電粒子を検出するための電極とが対向していない。また、帯電粒子センサ（５）は帯電粒子発生部（４）の通流方向下流側に位置しない。従って、前記各電極を対向させ、又は帯電粒子センサ（５）を帯電粒子発生部（４）の下流側に配置する構成に比べ、帯電粒子センサ（５）の電極に捕捉されることによる帯電粒子の減少量が抑えられる。
【００３２】
（付記２）
前記帯電粒子発生部（４）及び前記帯電粒子センサ（５）は離隔している
ことを特徴とする付記１に記載の送風機器（１）。
【００３３】
本発明にあっては、前記帯電粒子発生部（４）及び帯電粒子センサ（５）が離隔しているため、帯電粒子センサ（５）の電極に捕捉されることによる帯電粒子の減少量が抑えられる。
【００３４】
（付記３）
前記帯電粒子センサ（５）は、
前記帯電粒子発生部（４）の電極から拡散した帯電粒子が所定濃度以上の領域内に配されている
ことを特徴とする付記１又は付記２に記載の送風機器（１）。
【００３５】
本発明にあっては、帯電粒子センサ（５）は、帯電粒子発生部（４）の電極から放出され、拡散した帯電粒子を検出する。
【００３６】
（付記４）
前記筐体（２）は、
前記通流路（２３）を構成する平板部分を備え、
前記帯電粒子発生部（４）及び前記帯電粒子センサ（５）は前記平板部に並置されている
ことを特徴とする付記１から付記３までのいずれか一つに記載の送風機器（１）。
【００３７】
本発明にあっては、帯電粒子発生部（４）及び帯電粒子センサ（５）は平板部に並置されているため、帯電粒子センサ（５）は平板部の面内方向に拡散した帯電粒子を検出する。
【００３８】
（付記５）
前記筐体（２）は、
前記通流路（２３）を構成する第１平板部と、
該第１平板部に交差する第２平板部と
を備え、
前記帯電粒子発生部（４）は前記第１平板部に配され、
前記帯電粒子センサ（５）は前記第２平板部に配されている
ことを特徴とする付記１から付記３までのいずれか一つに記載の送風機器（１）。
【００３９】
本発明にあっては、帯電粒子発生部（４）及び帯電粒子センサ（５）はそれぞれ、交差する第１平板部及び第２平板部に並置されているため、帯電粒子センサ（５）は第１平板部から第２平板部へ拡散した帯電粒子を検出する。
【００４０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４１】
１  送風機器
２  筐体
３  ファン
４  帯電粒子発生部
５  帯電粒子センサ
６  風向変更板
７  操作部
８  表示部
９  制御部
２１  吸込口
２２  吹出口
２３  通流路
２３ａ  流路底板
２３ｂ  流路側壁部
２３ｃ  流路上板
２４  下半体
２４ａ  底板部
２４ｂ  第１周壁
２５  上半体
２５ａ  天板部
２５ｂ  第２周壁
２６  正面パネル
３１  クロスフローファン
３２  ファンモータ
４１  負放電電極
４２  正放電電極
５１  検出電極
５２  帯電粒子検出回路
６１  回転軸
Ｒ  部屋
Ａ  載置台
【図１】
2014082125.tif 000003
【図２】
2014082125.tif 000004
【図３】
2014082125.tif 000005
【図４】
2014082125.tif 000006
【図５】
2014082125.tif 000007
【図６】
2014082125.tif 000008
【図７】
2014082125.tif 000009
【図８】
2014082125.tif 000010
【図９】
2014082125.tif 000011
【図１０】
2014082125.tif 000012
【図１１】
2014082125.tif 000013